(57)【要約】【課題】マイラーが曲がったりしてスムーズな用紙搬送が出来なくなる。【解決手段】転写ローラ８側へ用紙を供給するタイミングを制御するレジストローラ２４ａ，２４ｂと、用紙の供給方向を基準としてレジストローラの上流側に設けられ、レジストローラのニップ部側に向けて用紙を案内するマイラーガイド２５を先端縁部に備えた板状ガイド部材１００と、回転軸２４ａ１に設けられたワンウェイクラッチ付き歯車２００と、板状ガイド部材を、ワンウェイクラッチ付き歯車の回転動作に基づいて移動させる板状ガイド部材移動部３００とを備え、板状ガイド部材移動部は、ワンウェイクラッチ付き歯車と協働することにより、レジストローラに用紙が供給される場合はマイラーガイドを案内位置に保持し、レジストローラが用紙を供給する方向と逆方向の回転をする場合はマイラーガイドが退避位置にくるように板状ガイド部材を移動させる構成。【選択図】図３
2010275053.tif 000002
【特許請求の範囲】
【請求項１】
記録媒体を供給するタイミングを制御する一対のレジストローラと、
前記記録媒体の供給方向を基準として前記レジストローラの上流側に設けられ、前記レジストローラのニップ部側に向けて前記記録媒体を案内する薄板状部材を先端縁部に備えた板状ガイド部材と、
前記一対のレジストローラの何れか一方のローラの回転軸に設けられたギア部と、
前記板状ガイド部材を、前記ギア部の回転動作に基づいて移動させる板状ガイド部材移動部と、を備え、
前記板状ガイド部材移動部は、前記ギア部と協働することにより、（１）前記レジストローラに前記記録媒体が供給される場合は、前記薄板状部材を案内位置に保持し、（２）前記レジストローラが前記記録媒体を供給する方向と逆方向の回転をする場合は、前記薄板状部材が退避位置にくるように、前記板状ガイド部材を移動させる、搬送ガイド退避機構。
【請求項２】
前記一対のレジストローラの前記一方のローラは、駆動ローラであり、
前記ギア部は、前記駆動ローラの回転軸に取り付けられたワンウェイクラッチ付き歯車であり、
前記駆動ローラが前記逆方向に回転する場合は前記ワンウェイクラッチ付き歯車へ回転力を伝達し、前記駆動ローラが正方向に回転する場合は前記ワンウェイクラッチ付き歯車への回転力の伝達を解除する、請求項１に記載の搬送ガイド退避機構。
【請求項３】
前記板状ガイド部材は、前記記録媒体の搬送面と反対側に突き出した棒状突起を有し、
前記板状ガイド部材移動部は、前記ワンウェイクラッチ付き歯車とかみ合い、前記ワンウェイクラッチ付き歯車の回転動作を直線移動に変換するためのラックが一部に形成されたラック付き移動部材であって、前記ラック付き移動部材の一方の端部は前記板状ガイド部材から突き出した前記棒状突起の先端部と当接する傾斜面を有している、請求項２に記載の搬送ガイド退避機構。
【請求項４】
前記傾斜面は、前記棒状突起の先端部がスライド移動する面であり、前記傾斜面の両側の縁部には前記スライド移動の方向に沿って土手部が形成されている、請求項３に記載の搬送ガイド退避機構。
【請求項５】
前記ラック付き移動部材は、前記ワンウェイクラッチ付き歯車とかみ合った前記ラックが、前記ワンウェイクラッチ付き歯車の前記逆方向の回転に連動して前記直線移動する、請求項１〜４の何れか一つに記載の搬送ガイド退避機構。
【請求項６】
像担持体と、
前記像担持体の表面にトナー画像を形成する現像装置と、
前記現像装置の上流側に配置された請求項１〜５の何れか一つに記載の搬送ガイド退避機構と、
前記記録媒体に転写された前記トナー画像を定着させる定着部と、
を備えた画像形成装置。
【発明の詳細な説明】
【技術分野】
【０００１】
本発明は、プリンター、複写機、およびファクシミリなどの画像形成装置に用いる搬送ガイド退避機構、およびそれを用いた画像形成装置に関する。
【背景技術】
【０００２】
従来より、プリンター、複写機、ファクシミリ装置等の画像形成装置では、給紙カセットから搬送される用紙の先端が、レジストローラのニップ部に到達できる様に、マイラーと呼ばれる弾性を有した薄板状部材が設けられている（例えば、特許文献１を参照）。
【０００３】
このような従来のマイラーは、レジストローラのニップ部の所定位置に用紙先端をスムーズに案内できる様に、所定位置に固定配置されている。
【０００４】
この様なマイラーが設けられた従来の画像形成装置の内、給紙カセットから定着装置下流に至る用紙搬送経路がいわゆるＳ字パスの形態を有しているプリンター等では、用紙先端がレジストローラのニップ部を越えたあたりで、紙詰まりが発生した場合、用紙カセットを引き出して、ＪＡＭ処理を行うことが多い。
【先行技術文献】
【特許文献】
【０００５】
【特許文献１】特開平８−２６５２６号公報
【発明の概要】
【発明が解決しようとする課題】
【０００６】
しかしながら、上記従来の画像形成装置の構成では、使用する用紙が、封筒などの始めから折り目のあるものや、紙詰まり時に用紙先端部が折れてしまった場合のＪＡＭ処理において、次の様な課題が発生していた。
【０００７】
即ち、ＪＡＭ処理時において、給紙カセットを引き出して、給紙カセットと画像形成装置本体の隙間から用紙を引き抜こうとすると、用紙の折れ曲がった部分が、レジストローラの上流側に配置されているマイラーの先端に引っかかり、マイラーをめくりあげてしまう場合があった。この様なＪＡＭ処理が何度も繰り返されると、マイラーがダメージを受けたり、変形したりして、レジストローラのニップ部の所定位置に用紙先端をスムーズに案内できなくなり、画像形成に支障をきたす課題があった。
【０００８】
本発明は、上記従来の画像形成装置に用いられているマイラーのこの様な課題を考慮して、従来に比べてマイラーにダメージを与えにくくしながら、従来の様に容易にＪＡＭ処理が出来る搬送ガイド退避機構、及び、それを用いた画像形成装置を提供することを目的とする。
【課題を解決するための手段】
【０００９】
上述した課題を解決するために、第１の本発明は、
記録媒体を供給するタイミングを制御する一対のレジストローラと、
前記記録媒体の供給方向を基準として前記レジストローラの上流側に設けられ、前記レジストローラのニップ部側に向けて前記記録媒体を案内する薄板状部材を先端縁部に備えた板状ガイド部材と、
前記一対のレジストローラの何れか一方のローラの回転軸に設けられたギア部と、
前記板状ガイド部材を、前記ギア部の回転動作に基づいて移動させる板状ガイド部材移動部と、を備え、
前記板状ガイド部材移動部は、前記ギア部と協働することにより、（１）前記レジストローラに前記記録媒体が供給される場合は、前記薄板状部材を案内位置に保持し、（２）前記レジストローラが前記記録媒体を供給する方向と逆方向の回転をする場合は、前記薄板状部材が退避位置にくるように、前記板状ガイド部材を移動させる、搬送ガイド退避機構である。
【００１０】
また、第２の本発明は、
前記一対のレジストローラの前記一方のローラは、駆動ローラであり、
前記ギア部は、前記駆動ローラの回転軸に取り付けられたワンウェイクラッチ付き歯車であり、
前記駆動ローラが前記逆方向に回転する場合は前記ワンウェイクラッチ付き歯車へ回転力を伝達し、前記駆動ローラが正方向に回転する場合は前記ワンウェイクラッチ付き歯車への回転力の伝達を解除する、上記第１の本発明の搬送ガイド退避機構である。
【００１１】
また、第３の本発明は、
前記板状ガイド部材は、前記記録媒体の搬送面と反対側に突き出した棒状突起を有し、
前記板状ガイド部材移動部は、前記ワンウェイクラッチ付き歯車とかみ合い、前記ワンウェイクラッチ付き歯車の回転動作を直線移動に変換するためのラックが一部に形成されたラック付き移動部材であって、前記ラック付き移動部材の一方の端部は前記板状ガイド部材から突き出した前記棒状突起の先端部と当接する傾斜面を有している、上記第２の本発明の搬送ガイド退避機構である。
【００１２】
また、第４の本発明は、
前記傾斜面は、前記棒状突起の先端部がスライド移動する面であり、前記傾斜面の両側の縁部には前記スライド移動の方向に沿って土手部が形成されている、上記第３の本発明の搬送ガイド退避機構である。
【００１３】
また、第５の本発明は、
前記ラック付き移動部材は、前記ワンウェイクラッチ付き歯車とかみ合った前記ラックが、前記ワンウェイクラッチ付き歯車の前記逆方向の回転に連動して前記直線移動する、上記第１〜４の何れかの本発明の搬送ガイド退避機構である。
【００１４】
また、第６の本発明は、
像担持体と、
前記像担持体の表面にトナー画像を形成する現像装置と、
前記現像装置の上流側に配置された上記第１〜５の何れかの本発明の搬送ガイド退避機構と、
前記記録媒体に転写された前記トナー画像を定着させる定着部と、
を備えた画像形成装置である。
【発明の効果】
【００１５】
本発明により、従来に比べてマイラーにダメージを与えにくくしながら、従来の様に容易にＪＡＭ処理が出来る搬送ガイド退避機構及び、それを用いた画像形成装置を提供することができる。
【図面の簡単な説明】
【００１６】
【図１】本発明にかかる実施の形態におけるプリンターの外観斜視図
【図２】本発明にかかる実施の形態におけるプリンターの側面構成図
【図３】（ａ）本発明にかかる実施の形態における搬送ガイド退避機構の斜視図、（ｂ）本発明にかかる実施の形態における搬送ガイド退避機構のワンウェイクラッチ付き歯車などを説明するための斜視図
【図４】本発明にかかる実施の形態におけるワンウェイクラッチ付き歯車を説明するための概略図
【図５】（ａ）〜（ｃ）：本発明にかかる実施の形態における搬送ガイド退避機構の動作を説明するための概略図
【図６】本発明にかかる実施の形態におけるラック付き移動部材の変形例を示す斜視図
【図７】本発明にかかる実施の形態におけるワンウェイクラッチ機構の変形例を示す概略図
【発明を実施するための形態】
【００１７】
以下に、本発明にかかる搬送ガイド退避機構、及びそれを用いた画像形成装置の一実施の形態について、図面を参照しながら説明する。
【００１８】
（実施の形態１）
ここでは、本発明の搬送ガイド退避機構の一実施の形態と、それを用いた本発明の画像形成装置の一例としてのプリンターの構成について図面を参照しながら説明する。
【００１９】
図１は、本実施の形態における搬送ガイド退避機構を備えたプリンターの外観図である。図１に示す様に、本実施の形態におけるプリンター１の上面に排紙トレイ１２が設けられている。また、底部には、給紙カセット１０が設けられている。
【００２０】
図２は、本実施の形態におけるプリンター１の側面概略構成図である。
【００２１】
図２に示す様に、本実施の形態におけるプリンター１は、感光体ドラム２と、感光体ドラム２の表面を帯電する帯電部３と、静電潜像を形成する露光部４と、ブラック、マゼンダ、シアン、及びイエローの４種類のトナーを有する現像部５と、感光体ドラム２に形成されたトナー画像が一旦転写される中間転写ベルト６と、転写後に感光体ドラム２の表面に残留しているトナーを取り除くクリーニング部７とを備えている。
【００２２】
また、中間転写ベルト６に転写されたトナー画像を用紙に転写するための転写ローラ８と、転写されたトナー画像を用紙に定着するための定着部９が設けられている。
【００２３】
また、用紙搬送路１１は、いわゆるＳ字パスであり、上述した給紙カセット１０からプリンター１の前面２０側へ向かい、搬送ローラ２２において折り返して、転写ローラ８と中間転写ベルト６の間を通り、定着部９を通過した後に背面２１に沿って上方向に向かい、排紙トレイ１２まで用紙を搬送するための搬送路である（実線矢印Ｓにて図示）。
【００２４】
また、転写ローラ８と搬送ローラ２２の間の用紙搬送路１１には、本実施の形態の搬送ガイド退避機構２３が設けられている。
【００２５】
搬送ガイド退避機構２３は、一対のレジストローラ２４ａ、２４ｂと、先端縁部にマイラーガイド２５（図３参照）が配置された板状ガイド部材１００と、レジストローラ２４ａの回転軸に設けられたワンウェイクラッチ付き歯車２００（図３参照）と、板状ガイド部材１００をワンウェイクラッチ付き歯車２００の回転移動に基づいて移動させるラック付き移動部材３００と、を備えてユニット化されている。
【００２６】
尚、本発明の薄板状部材の一例が、本実施の形態のマイラーガイド２５に相当する。また、本発明の記録媒体の一例が、本実施の形態の用紙に相当する。また、本発明の板状ガイド部材移動部の一例が、本実施の形態のラック付き移動部材３００に相当する。
【００２７】
次に、図３を参照しながら、本実施の形態の搬送ガイド退避機構２３の構成について更に詳細に説明する。
【００２８】
図３（ａ）は、本実施の形態の搬送ガイド退避機構２３の斜視図であり、図３（ｂ）は、同搬送ガイド退避機構の内部構造を説明するために、図中の手前側の壁部の一部を破った状態の斜視図である。
【００２９】
図３（ａ）に示す様に、ハウジング４００は、搬送ガイド退避機構２３を構成する各部材を所定位置に配置してユニット化するための部材である。一対のレジストローラ２４ａ，２４ｂは、用紙の斜め送りを修正すると共に、給紙のタイミングを調整するためのものである。下側に配置されたレジストローラ２４ａは、回転軸２４ａ１の周囲に形成されたゴム製のローラを有する駆動ローラであり、上側に配置されたレジストローラ２４ｂは、例えば金属製のシャフトからなる従動ローラである。これらのローラの両端は、ハウジング４００の手前側壁部４０１と奥側壁部４１１に設けられた軸受け部４２０ａ，４２０ｂによりそれぞれ支持されている。
【００３０】
また、軸受け部４２０ｂは、バネ部材４３０により、レジストローラ２４ａ側に所定の圧力で引っ張られている。これにより、レジストローラ２４ａと２４ｂとの接触部分にローラニップが形成される。
【００３１】
また、板状ガイド部材１００は、一対のレジストローラ２４ａ，２４ｂと搬送ローラ２２との間に回動可能に配置された長板状の部材であり、両側端面から外側に突き出した回転軸１１０を備えている。回転軸１１０は、ハウジング４００の手前側壁部４０１と奥側壁部４１１に設けられた貫通孔の内周縁部により支持されている。また、板状ガイド部材１００の、レジストローラ側の先端部には、弾性を有する樹脂製シートであるマイラーガイド２５がレジストローラ２４ａに対応して取り付けられており、そのマイラーガイド２５の先端部は、用紙搬送時にはレジストローラニップ２６より多少レジストローラ２４ｂ寄りに向けられている。本実施の形態では、マイラーガイド２５のこの位置を案内位置と呼ぶ。
【００３２】
尚、マイラーガイド２５の先端部が、案内位置においてレジストローラニップ２６より多少レジストローラ２４ｂ寄りに向けられている理由は、金属製のシャフトであるレジストローラ２４ｂの表面に用紙先端が当たるとすべり易く、スムーズにレジストローラニップ２６へ用紙を導くことが出来るためである。
【００３３】
また、図３（ｂ）に示す様に、板状ガイド部材１００の下面の図中手前側には、先端部が半円形状の棒状のスライダー１２０が設けられている。尚、本発明の棒状突起の一例が、本実施の形態のスライダー１２０に相当する。
【００３４】
図４に示す様に、ワンウェイクラッチ付き歯車２００に内蔵されたワンウェイクラッチ機構（図示省略）は、レジストローラ２４ａの回転軸２４ａ１が用紙搬送方向とは逆方向に回転（図４中では右回転）する場合には、回転軸２４ａ１とワンウェイクラッチが噛み合うことにより、回転軸２４ａ１の回転力を伝達し、レジストローラ２４ａが用紙搬送方向である正方向に回転（図４中では左回転）する場合には、ワンウェイクラッチが空転することで、回転力を伝達しない。尚、ワンウェイクラッチ機構として、市販品を使用してもよい。
【００３５】
また、ラック付き移動部材３００は、ワンウェイクラッチ付き歯車２００と噛み合い、ワンウェイクラッチ付き歯車２００の回転動作を直線移動に変換するためのラック３１０が一部に形成された部材であって、その一方の端部（図４の右側の端部）は板状ガイド部材１００から突き出したスライダー１２０の先端部と当接する傾斜面３２０を有している。また、ラック付き移動部材３００は、傾斜面３２０が設けられた端部と反対側の端部（図４の左側の端部）にバネ３３０を備えている。
【００３６】
また、ラック付き移動部材３００は、ワンウェイクラッチ付き歯車２００と協働することにより、（１）レジストローラ２４ａ、２４ｂに用紙が供給される場合は、マイラーガイド２５を案内位置（図５（ａ）参照）に保持し、（２）レジストローラ２４ａ、２４ｂが用紙搬送方向と逆方向の回転をする場合は、マイラーガイド２５が上記案内位置より下方の退避位置（図５（ｂ）参照）にくる様に、板状ガイド部材１００を移動させるための機構である。
【００３７】
また、バネ３３０は、ラック付き移動部材３００が矢印Ｂ方向に移動する際に圧縮され、その後、ラック付き移動部材３００が移動前の初期位置に戻れる様に矢印Ｃ方向に付勢力を与えるためのものである（図５（ｃ）参照）。
【００３８】
尚、ラック付き移動部材３００の初期位置は、ラック付き移動部材３００の傾斜面３２０が設けられている側の先端部がハウジング４００の底面に設けられたストッパー４１０（図５（ａ）、図３（ｂ）参照）と当接する位置である。また、ストッパー４１０は、ラック付き移動部材３００がそれに当接して初期位置に停止した状態において、マイラーガイド２５が案内位置（図５（ａ）参照）に保持される様に位置決めされた突起である。
【００３９】
次に、実施の形態のプリンター１と、搬送ガイド退避機構２３の動作について、主として図５を参照しながら説明する。
【００４０】
図５（ａ）〜図５（ｃ）は、搬送ガイド退避機構２３の動作を説明するための概略側面図である。尚、図５（ａ）、図５（ｂ）においては、ワンウェイクラッチ付き歯車２００の図示を省略した。
【００４１】
図５（ａ）は、マイラーガイド２５が案内位置に保持されている状態を示し、図５（ｂ）は、マイラーガイド２５が退避位置に移動している状態を示す。図５（ｃ）は、ワンウェイクラッチ付き歯車２００と、ラック３１０を備えたラック付き移動部材３００との関係を示す。
【００４２】
まず、プリンター１の通常のプリントアウトモードにおいて、用紙Ｐが給紙カセット１０からレジストローラ２４ａ，２４ｂ側に搬送されてくる場面での動作を説明する。
【００４３】
図５（ａ）に示す様に、後述するレジストローラ２４ａ、２４ｂの初期動作により、マイラーガイド２５は案内位置にセットされて保持される。この状態では、スライダー１２０の先端部は、ラック付き移動部材３００の傾斜面３２０の上端部（図５（ａ）の傾斜面３２０の左端）の近傍に位置している。そしてこの時、マイラーガイド２５の先端部は、レジストローラニップ２６に用紙先端をスムーズに案内できる様にするために、多少レジストローラ２４ｂ寄りに向けられている。
【００４４】
この様な状況下において、用紙Ｐの先端部が、レジストローラ２４ａ，２４ｂを通過した時に紙詰まりが発生して、レジストローラ２４ａ、２４ｂが用紙Ｐを挟んだままの状態で回転動作を停止し、プリンター１が紙詰まりの発生を警告ランプ（図示省略）の点滅により知らせたとする。
【００４５】
この警告ランプを見たユーザは、給紙カセット１０を引き出して、給紙カセット１０とプリンタ１本体の隙間からプリンター１の内部に手を入れて、用紙Ｐの後端をつかんで引き抜こうとする。その時、用紙Ｐは図５（ｂ）に示す様に、矢印Ａの方向に移動する為に、用紙Ｐとの摩擦力によりレジストローラ２４ａ、２４ｂが用紙搬送時とは逆向き方向に回転し始める。この逆向きの回転に伴い発生する、レジストローラ２４ａの回転軸２４ａ１の右回転の回転力が、ワンウェイクラッチ付き歯車２００にそのまま伝達されて、ワンウェイクラッチ付き歯車２００が右回転を始める（図５（ｃ）参照）。ワンウェイクラッチ付き歯車２００が右回転すると、それと噛み合ったラック３１０が矢印Ｂ方向（図５（ｂ）、図５（ｃ）参照）に移動して、ラック３１０との噛み合わせが無くなるまで、ラック付き移動部材３００は、バネ３３０を圧縮しながら矢印Ｂ方向に直線移動する。ワンウェイクラッチ付き歯車２００の回転の結果、ラック３１０の無い場所までくると、ラック３１０との噛み合いが外れることにより、ラック付き移動部材３００は、それ以上の矢印Ｂ方向への移動は出来なくなり、ワンウェイクラッチ付き歯車２００は空回りする。
【００４６】
一方、このラック付き移動部材３００の上記直線移動と同時に、図５（ｂ）に示す様に、傾斜面３２０が矢印Ｂ方向に移動するので、板状ガイド部材１００は、回転軸１１０を中心にして、左回転方向（図中の矢印Ｄ参照）に回動する。これにより、マイラーガイド２５がレジストローラ２４ａ側の退避位置に移動する。マイラーガイド２５が退避位置に移動することにより、用紙Ｐの後端が仮に折れ曲がっていたとしても、マイラーガイド２５の先端部に引っかかること無く、用紙Ｐの後端部が矢印Ａ方向に抜き取られて、簡単にＪＡＭ処理が出来る。
【００４７】
用紙Ｐの後端部が、完全に抜き取られると、レジストローラ２４ａは右回転の動作を停止するが、ラック付き移動部材３００に対して、圧縮されたバネ３３０の復元力が矢印Ｃ方向に働いているため、ラック付き移動部材３００は矢印Ｃ方向に押される。そして再び、ラック３１０とワンウェイクラッチ付き歯車２００が噛み合って、ワンウェイクラッチ付き歯車２００が左回転を始めると、その回転力が、レジストローラ２４ａの回転軸２４ａ１に伝達される（図４参照）。しかし、回転軸２４ａ１は駆動部（図示省略）に連結されているために、駆動部が停止状態であると自由には回転出来ないので、結局、ラック付き移動部材３００は、初期位置に戻れずに、ラック３１０とワンウェイクラッチ付き歯車２００が噛み合ったまま、バネ３３０の復元力が付勢された状態に保持される。
【００４８】
この様にしてＪＡＭ処理が完了して、プリンター１がリセットされて、再び通常のプリントアウトモードに戻ると、レジストローラ２４ａは、上記初期動作としての回転駆動を開始する。ワンウェイクラッチ付き歯車２００にはバネ３３０の復元力による左周りの回転力が働いているので、回転軸２４ａ１の初期動作が開始されると、その回転と共にワンウェイクラッチ付き歯車２００は左回転を始める。これにより、ラック付き移動部材３００は、初期位置すなわち、ストッパー４１０に当接するまで矢印Ｃ方向に直線移動する。この動作に伴って傾斜面３２０が矢印Ｃ方向に移動するので、スライダー１２０の先端部が上方に持ち上げられて、マイラーガイド２５が案内位置に移動する（図５（ａ）参照）。
【００４９】
そして、ラック付き移動部材３００の先端がストッパー４１０に当接すると、ラック３１０とワンウェイクラッチ付き歯車２００は噛み合ったままであるため、ワンウェイクラッチ付き歯車２００は回転を停止して、マイラーガイド２５は案内位置に保持される。一方、回転軸２４ａ１は、そのまま左周りの回転を一定期間続けて初期動作を停止する。
【００５０】
尚、上記の説明から明らかな様に、紙詰まりが発生しておらず、通常のプリントアウトモードが継続している場合、回転軸２４ａ１は左周りに回転するが、ワンウェイクラッチ付き歯車２００は回転軸２４ａ１と噛み合うことなく空回り状態となるので、回転軸２４ａ１の回転力がワンウェイクラッチ付き歯車２００に伝達されることは無い。そのため、マイラーガイド２５は、案内位置に保持された状態で維持される。
【００５１】
以上説明した様に、本実施の形態の搬送ガイド退避機構２３の構成によれば、ＪＡＭ処理時に用紙の後端がマイラーガイド２５に引っかかり難いので、マイラーガイド２５にダメージを与えることが無く、しかも容易にＪＡＭ処理が出来るという効果を有している。
【００５２】
また、本実施の形態の搬送ガイド退避機構は、ユニット化されているので、他の画像形成装置にも容易に組み込むことが出来るという効果を有している。
【００５３】
尚、上記実施の形態では、ラック付き移動部材３００の傾斜面３２０は、図３（ｂ）に示す様な構成の場合について説明したがこれに限らず例えば、図６に示す様に、傾斜面３２０の長手方向の両側の縁部に、スライダー１２０のスライド移動の方向に沿って土手部３２１を形成した構成でも良い。この構成によれば、スライダー１２０が傾斜面３２０から外れることを防止出来る。また、残りの短手方向の両側の縁部にも同様の土手部を形成して傾斜面３２０を取り囲む様にすれば、スライダー１２０が傾斜面３２０から外れることがより確実に防止出来る。
【００５４】
また、上記実施の形態では、ワンウェイクラッチ機構が、ワンウェイクラッチ付き歯車２００に内蔵されている場合の構成について説明したがこれに限らず例えば、図７に示す様に、リング状歯車２５０とワンウェイクラッチ付き板状ガイド部材移動部３５０との間に設ける構成でも良い。ここで、図７は、ワンウェイクラッチ機構の変形例の構成を説明するための一部断面概略図である。図７に示す様に、ワンウェイクラッチ付き板状ガイド部材移動部３５０は、図４と同様にラック３１０を有しているが、図中の左端には可動ラック３１１が設けられている。この可動ラック３１１は、支持部３１２に支持されて、バネ（図示省略）により左周りに回転する回転力が常に付勢されているが、この回転力に対抗する力が加わると、矢印Ｅ方向に回転移動し、ワンウェイクラッチ付き板状ガイド部材移動部３５０に形成された収納空間３５１に退避出来る構成である。尚、図７では、リング状歯車２５０は回転軸２４ａ１に完全に固定されている。この構成により、ＪＡＭ処理時に上記実施の形態で説明したのと同様に用紙Ｐを引き抜くことにより、リング状歯車２５０は右回転して、ラック３１０との噛み合いにより、ワンウェイクラッチ付き板状ガイド部材移動部３５０は矢印Ｂ方向へ移動する。この動作により、マイラーガイド２５は、案内位置から退避位置へ移動する。そして、ＪＡＭ処理が完了すると、上記と同様にレジストローラ２４ａ、２４ｂの初期動作における回転軸２４ａ１の左周りの回転動作が開始される。図７の構成では、回転軸２４ａ１が回転するとリング状歯車２５０も同様に回転するので、ラック３１０との噛み合いにより、ワンウェイクラッチ付き板状ガイド部材移動部３５０は矢印Ｃ方向に移動して、ストッパー４１０と当接して停止する。一方、ワンウェイクラッチ付き板状ガイド部材移動部３５０が停止位置まで来た時、リング状歯車２５０は、可動ラック３１１しか接触する相手がいない状況となるが、可動ラック３１１はリング状歯車２５０の歯先に押されて矢印Ｅ方向に回動し、収納空間３５１に退避してしまう。これにより、双方は噛み合うこと無く、リング状歯車２５０は左周りに回転を続けるが、ワンウェイクラッチ付き板状ガイド部材移動部３５０はストッパー４１０により停止状態のままである。この時、マイラーガイド２５は退避位置から案内位置に戻っている。尚、可動ラック３１１は、図７に示した位置を基準として矢印Ｅ方向には回転するが、左周りには移動出来ない様に規制されている。そのため、次に新たなＪＡＭ処理が行われる場合、そのＪＡＭ処理によりリング状歯車２５０が右周りの回転を開始すると、収納空間３５１に退避していた可動ラック３１１はバネ（図示省略）による付勢力により元の位置（図７に示す位置）に戻り、それ以上は左周りに回転出来ないため、リング状歯車２５０と噛み合って、ワンウェイクラッチ付き板状ガイド部材移動部３５０が矢印Ｂ方向に移動する。この様な構成により、上記実施の形態と同様の効果を発揮する。ここで、本発明の板状ガイド部材移動部の一例が、図７に示すワンウェイクラッチ付き板状ガイド部材移動部３５０に相当する。
【００５５】
また、上記実施の形態では、スライダー１２０の先端部が半円形状の棒状突起である場合について説明したがこれに限らず例えば、先端部にコロを設けた構成でも良い。これにより、傾斜面３２０上をよりスムーズに移動出来る。
【００５６】
また、上記実施の形態では、本発明の薄板状部材として樹脂製シートを用いた場合について説明したがこれに限らず例えば、樹脂以外の材料（例えば、ステンレスやアルミ等）で構成された弾性を有する部材であっても良い。
【００５７】
また、上記実施の形態では、マイラーガイドが先端縁部に設けられた板状ガイド部材が、用紙Ｐの搬送路の下方に配置されている構成（図５（ｂ）参照）について説明したがこれに限らず例えば、用紙Ｐの搬送路の上方に配置されている構成であっても良い。この場合、回転軸１１０で支持された板状ガイド部材１００にスライダー１２０を設け、ラック付き移動部材３００の傾斜面３２０上をスライドさせる構成は基本的に同じであるが、上記実施の形態の構成と比べて、回転軸１１０を用紙Ｐの搬送路より上方に移動させ、マイラーガイドの取り付け面を変更することは言うまでもないが、その他に、スライダーの角度や長さを調整する必要があり、また、傾斜面３２０の傾斜方向が図５（ａ）に示すものとは逆向きの傾斜面、即ち、ラック付き移動部材３００が図５（ｂ）の矢印Ｂ方向に移動するに伴って、スライダー１２０が上方に持ち上げられて、マイラーガイドが用紙搬送路からより離れた位置（退避位置）に移動する様にする傾斜面等を備える必要がある。
【産業上の利用可能性】
【００５８】
本発明に係る搬送ガイド退避機構、及びそれを用いた画像形成装置は、従来に比べてマイラーにダメージを与えにくくしながら、従来の様に容易にＪＡＭ処理が出来るという効果を有し、プリンター、複写機およびファクシミリなどの画像形成装置、およびそれらに用いる搬送ガイド退避機構として有用である。
【符号の説明】
【００５９】
１    プリンター
２    感光体ドラム
３    帯電部
４    露光部
５    現像部
６    中間転写ベルト
７    クリーニング部
２３  搬送ガイド退避機構
２４ａ，２４ｂ  一対のレジストローラ
２４ａ１  回転軸
２５    マイラーガイド
１００  板状ガイド部材
１２０  スライダー
２００  ワンウェイクラッチ付き歯車
３００  ラック付き移動部材
３２０  傾斜面
３３０  バネ
４００  ハウジング
４１０  ストッパー
４２０ａ、４２０ｂ  軸受け部
【図１】
2010275053.tif 000003
【図２】
2010275053.tif 000004
【図３】
2010275053.tif 000005
【図４】
2010275053.tif 000006
【図５】
2010275053.tif 000007
【図６】
2010275053.tif 000008
【図７】
2010275053.tif 000009